(57)【要約】【課題】インスリン抵抗性を評価する指数である、空腹時血糖値と空腹時血中インスリン値から算出されるＨＯＭＡ−Ｒ値が、容易に求められるスケール。【解決手段】鞘状をなし、内部に、後記滑り尺を有する固定尺２とその中を、左右自在に動く滑り尺７からからなる。固定尺には、上下に２つの開口窓を有し、上方に窓３、下方に窓４を形成し、窓３の上縁に沿って空腹時血糖値目盛り５を、窓４の上縁にＨＯＭＡ−Ｒ値読み取り矢印６、を表示する。滑り尺７に固定尺２の窓３から露出する部分に、窓上縁に沿って空腹時血中インスリン値目盛り８を、窓４から露出する部分に、窓上縁に沿ってＨＯＭＡ−Ｒ値目盛り９を表示する。【選択図】図１
0003148657.tif 000002
【実用新案登録請求の範囲】
【請求項１】
ＨＯＭＡ−Ｒ式により算出されるＨＯＭＡ−Ｒ値を求めるＨＯＭＡ−Ｒ計算早見スケールであって、前記計算式の空腹時血糖値を対数目盛で表した空腹時血糖値目盛り、ＨＯＭＡ−Ｒ値を読み取るＨＯＭＡ−Ｒ値読み取り矢印を有する第１スケールと、
前記計算式の空腹時血中インスリン値を対数目盛で表した空腹時血中インスリン値目盛り、ＨＯＭＡ−Ｒ値を対数目盛で表したＨＯＭＡ−Ｒ値目盛りを有する第２スケールと、
を備え、前記空腹時血糖値目盛りと空腹時血中インスリン値目盛りとを、目盛り合わせ可能に対応させると共に、前記ＨＯＭＡ−Ｒ値読み取り矢印とＨＯＭＡ−Ｒ値目盛りとを、目盛り値を読み取り可能に対応させ、
且つ前記第１スケール及び前記第２スケールの一方を固定尺とし、他方を滑り尺としたことを特徴とするＨＯＭＡ−Ｒ計算早見スケール。
【考案の詳細な説明】
【技術分野】
【０００１】    本考案は、ＨＯＭＡ−Ｒの計算式により算出されるＨＯＭＡ−Ｒ値が、容易に把握できるＨＯＭＡ−Ｒ計算早見スケールに関するもの。
【背景技術】
【０００２】    この種のスケールとして、腎臓機能の重症度の評価法として使用されるＧＦＲ推算値を求めるものが知られている。
【特許文献１】    実用新案登録第３１４４７００号
【考案の開示】
【考案が解決しようとする課題】
【０００３】    ＨＯＭＡ−Ｒは、糖尿病の主たる原因として、血糖を低下させるホルモンであるインスリンの効き難さである、インスリン抵抗性、を評価する指数で、空腹時血糖値（ｍｇ／ｄｌ）と、空腹時血中インスリン値（μＵ／ｍｌ）より下記算出式により算出される。
【数１】
0003148657.tif 000003
この計算を行わず、ＨＯＭＡ−Ｒ値を求められる従来のようなスケールは、存在しない。【０００４】    インスリン抵抗性の評価として、前項計算式で得られた数値をもとに、インスリン抵抗性の評価を分類している。【０００５】    本考案は、固定尺と滑り尺を用いることにより、従来電卓等で行っていた計算をすることなく、誰でも簡単にＨＯＭＡ−Ｒ値が求められる、ＨＯＭＡ−Ｒ計算早見スケールの提供を目的としている。
【課題を解決するための手段】
【０００６】    本考案の要旨とするところは、鞘状になった固定尺と、その中を、長さ方向に滑る、滑り尺とで構成し、この固定尺に、対数目盛で作成された空腹時血糖値目盛り、ＨＯＭＡ−Ｒ値読み取り矢印、を表示し、滑り尺に、対数目盛で作成された空腹時血中インスリン値目盛り、対数目盛で作成されたＨＯＭＡ−Ｒ値目盛りを表示する。滑り尺を動かし固定尺の上方の窓部で、空腹時血糖値目盛りと接した、滑り尺の空腹時血中インスリン値目盛り、の目盛り線同志を合わせ、固定尺下方の窓部にあるＨＯＭＡ−Ｒ値読み取り矢印と接した、滑り尺のＨＯＭＡ−Ｒ値目盛り、を読み取る事により、数１の計算値が容易に求められる、ＨＯＭＡ−Ｒ計算早見スケール。
【考案の効果】
【０００７】    本考案は上記のような構成、機能であるから、誰でも簡単な操作によりＨＯＭＡ−Ｒ値を求めることができるものである。
【考案を実施するための最良の形態】
【０００８】    鞘状になった固定尺と、その固定尺の中を、長さ方向に滑る、滑り尺とで構成され、固定尺の表面に、上下２つの長方形の開口窓を有する。上方の窓上縁部に沿って空腹時血糖値目盛りを表示し、下方の窓上縁部に、ＨＯＭＡ−Ｒ値読み取り矢印を表示し、他方前記滑り尺の表面に、固定尺の上方の窓から露出する部分に窓の上縁に沿って空腹時血中インスリン値目盛り、下方の窓から露出する部分に窓の上縁に沿ってＨＯＭＡ−Ｒ値目盛り、を表示する。
【実施例】
【０００９】    以下、本考案の実施の形態について、図面を参照し説明します。
図１は本考案の正面図、図２は固定尺の正面図、図３は滑り尺の正面図です。
図４は本考案例での目盛り、目盛り間、矢印、の設定数値、設定位置を表した固定尺の正面図、図５は本考案例での各目盛り、目盛り間の設定数値、設定位置を表した滑り尺の正面図です。【００１０】    図中１はＨＯＭＡ−Ｒ計算早見スケールであり、後記固定尺と滑り尺からなるものである。【００１１】    ２は鞘状で、内部を長さ方向に滑り尺が自由に動く固定尺で、表面上方に長方形の窓３を有し、窓の上縁部に対数目盛で表された空腹時血糖値目盛り５を表示する。固定尺の下方に長方形の窓４を有し、窓の上縁部にＨＯＭＡ−Ｒ値読み取り矢印６、を表示する。【００１２】    ７は前記固定尺の内部を長さ方向に可動する滑り尺である。滑り尺７の表面上方には、固定尺２の上方にある窓３の上縁に露出する様、対数目盛で表された空腹時血中インスリン値目盛り８、を表示し、滑り尺７の表面下方には、固定尺２の下方にある窓４の上縁に露出する様、対数目盛で表されたＨＯＭＡ−Ｒ値目盛り９を表示する。【００１３】    空腹時血糖値目盛り、空腹時血中インスリン値目盛り、ＨＯＭＡ−Ｒ値目盛り、の３つの目盛りは、すべて対数目盛で作成する。【００１４】    対数目盛は、倍率に対する距離数値を決め、目盛り数値の上がる方向を決め、目盛りを作成し、数値を記入することにより、対数目盛としての形態を指定することができる。目盛り方向は、右方向に数値が高くなるものを順方向、左方向に数値が高くなるものを逆方向とした。【００１５】    数１から、空腹時血糖値目盛り、空腹時血中インスリン値目盛り、ＨＯＭＡ−Ｒ値目盛り、の３つの目盛りは倍率に対する距離数値すべて同一にする。ここでの図４の例では、空腹時血糖値目盛りの数値２倍間の距離数値１０を５０ｍｍ、図５の例では空腹時血中インスリン値目盛りの数値２倍間の距離数値１１を５０ｍｍ、ＨＯＭＡ−Ｒ値目盛数値２倍間の距離数値１２を５０ｍｍと設定した。そこで３種の目盛りの表示範囲、数値２倍間の距離数値、目盛り方向を表１の様に設定する。
【表１】
0003148657.tif 000004
図４の空腹時血糖値目盛り、図５の空腹時血中インスリン値目盛り、ＨＯＭＡ−Ｒ値目盛り、の３つの目盛りは対数目盛であるため、図中の指定箇所以外でも、目盛り内の数値２倍間の距離数値は共に、同一数値となる。作成した３つの目盛りは、共に同じ倍率に対する同じ距離数値とすれば、同様の計算機能を果たす。【００１６】    固定尺の空腹時血糖値目盛り、ＨＯＭＡ−Ｒ値読み取り矢印、滑り尺の空腹時血中インスリン値目盛り、ＨＯＭＡ−Ｒ値目盛りのＸ軸方向の設定位置は、図４でのＹ１の点線の様に空腹時血糖値目盛りの１１５の目盛り線と、図５のＹ１の点線の空腹時インスリン値目盛り、５．６の目盛り線がＹ軸方向に直線上となるとき、図４のＹ２の点線で示したＨＯＭＡ−Ｒ値読み取り矢印点と、図５のＹ２の点線で示したＨＯＭＡ−Ｒ値目盛りのＸ軸方向の設定位置は、数１で算出される値となる１．５９としたい。しかしこの１．５９は目盛り線がないので、精度の悪い概算位置となってしまうため、ＨＯＭＡ−Ｒ値目盛り１．０の目盛り線を、Ｘ軸方向の設定位置として設定する。２倍を５０ｍｍとしたＨＯＭＡ−Ｒ値目盛り、の対数目盛での１．５９と、１．００の倍率である１．５９倍の距離数値は３３．４５ｍｍとなり、これを、ＨＯＭＡ−Ｒ値読み取り矢印の矢印点と、ＨＯＭＡ−Ｒ値目盛り１．０の線との距離数値、１３としてＸ軸方向の位置を設定する。このことにより、ＨＯＭＡ−Ｒ値読み取り矢印点はＨＯＭＡ−Ｒ値目盛１．５９の点を示すことになる。【００１７】    固定尺に表した空腹時血糖値目盛り、滑り尺に表した、空腹時血中インスリン値目盛りは、固定尺に空腹時血中インスリン値目盛り、滑り尺に空腹時血糖値目盛り、を表しても同様の計算機能を果たす。【００１８】    ＨＯＭＡ−Ｒ値目盛りは、ＨＯＭＡ−Ｒの計算数値により、インスリン抵抗性の評価を分類していることから、この分類に準じて、分類の領域毎に、色分けなどをして表すことができる。【００１９】    次に本考案の使用方法について説明する。
図１において滑り尺７を動かして、固定尺２の上方に位置する窓３の上縁に表示された、空腹時血糖値目盛り５と、滑り尺７に表示された空腹時血中インスリン値目盛り８の、目盛り線同志を合わせた状態で、固定尺２の下方の窓４の上縁に表示された、ＨＯＭＡ−Ｒ値読み取り矢印６の矢印点に接する、滑り尺７のＨＯＭＡ−Ｒ値目盛り９の、目盛りを読み取れば、ＨＯＭＡ−Ｒ値が求められる。
【図面の簡単な説明】
【００２０】
【図１】本考案の正面図である。
【図２】固定尺の正面図である。
【図３】滑り尺の正面図である。
【図４】本考案での目盛り設定、位置設定を表した固定尺の正面図である。
【図５】本考案での目盛り設定、位置設定を表した滑り尺の正面図である。
【符号の説明】
【００２１】  １    ＨＯＭＡ−Ｒ計算早見スケール
２    固定尺
３    窓
４    窓
５    空腹時血糖値目盛り
６    ＨＯＭＡ−Ｒ値読み取り矢印
７    滑り尺
８    空腹時血中インスリン値目盛り
９    ＨＯＭＡ−Ｒ値目盛り
１０    空腹時血糖値、目盛り数値２倍間の距離数値
１１    空腹時血中インスリン値、目盛り数値２倍間の距離数値
１２    ＨＯＭＡ−Ｒ値、目盛り数値２倍間の距離数値
１３    ＨＯＭＡ−Ｒ値目盛り、目盛り線１．０と１．５９間の距離数値
Ｙ１    空腹時血糖値目盛り、空腹時血中インスリン値目盛りの位置関係を示す点線
Ｙ２    ＨＯＭＡ−Ｒ値読み取り矢印、ＨＯＭＡ−Ｒ値目盛りの位置関係を示す点線
【図１】
0003148657.tif 000005
【図２】
0003148657.tif 000006
【図３】
0003148657.tif 000007
【図４】
0003148657.tif 000008
【図５】
0003148657.tif 000009